【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  複数種類の識別情報を可変表示可能な画像表示装置を有し、前記識別情報の可変表示の表示結果が予め定められた特定の表示態様になった場合に、遊技者に有利な特定遊技状態に制御可能な遊技機であって、
前記画像表示装置に表示するためのキャラクタ画像のデータを複数種類記憶する画像データ記憶手段と、
前記識別情報の可変表示を開始させた後表示結果を導出表示する制御と、前記識別情報の可変表示を開始させた後表示結果を導出表示する前に、前記画像データ記憶手段に記憶されたデータを選択的に用いて、前記画像表示装置に前記キャラクタ画像を表示させる制御と、前記識別情報の可変表示の表示結果の導出表示にかかわる動作を前記キャラクタ画像にさせる制御とを行なう画像表示制御手段と、
前記画像表示装置に表示する前記キャラクタ画像の種類を変更させるための予め定められた変更条件が成立したか否かを判定する変更条件判定手段と、
前記キャラクタ画像について予め定められた複数のキャラクタ動作のうちから前記画像表示装置に表示させるキャラクタ動作を選択するために用いられるキャラクタ動作選択用カウンタと、
前記キャラクタ画像について予め定められた複数のキャラクタ動作のうちから前記画像表示装置に表示させるキャラクタ動作を、前記キャラクタ画像の種類に関わり無く、前記キャラクタ動作選択用カウンタの抽出値に基づいて選択するキャラクタ動作選択手段とを含み、
前記画像表示制御手段は、前記変更条件判定手段により前記変更条件が成立したと判定された場合に、前記画像表示装置に表示する前記キャラクタ画像を変更するとともに、前記キャラクタ動作選択手段により選択されたキャラクタ動作を、前記画像表示装置に表示させる表示制御を行なうことを特徴とする、遊技機。
【請求項２】  前記画像表示制御手段は、前記遊技機が前記特定遊技状態に制御されていない通常の遊技状態において、前記キャラクタ画像を表示する制御を行なうことを特徴とする、請求項１記載の遊技機。
【請求項３】  前記画像データ記憶手段は、前記キャラクタ画像のデータおよび該キャラクタ画像の背景を形成する背景画像のデータを複数種類記憶するものであり、
前記画像表示制御手段は、前記識別情報の可変表示を開始させた後表示結果を導出表示する前に、前記画像データ記憶手段に記憶されたデータを選択的に用いて、前記画像表示装置に前記キャラクタ画像および前記背景画像を表示させる制御を行ない、
前記変更条件は、前記画像表示装置に表示する前記キャラクタ画像および前記背景画像の種類を変更させるための条件であり、
前記画像表示制御手段は、前記変更条件判定手段により前記キャラクタ画像および前記背景画像の種類を変更させるための条件である前記変更条件が成立したと判定された場合に、前記画像表示装置に表示する前記キャラクタ画像および前記背景画像を変更する表示制御を行なうことを特徴とする、請求項１記載の遊技機。
【請求項４】  前記画像表示制御手段は、前記遊技機が前記特定遊技状態に制御されていない通常の遊技状態において、前記キャラクタ画像および前記背景画像を表示する制御を行なうことを特徴とする、請求項３記載の遊技機。
【請求項５】  前記変更条件判定手段での判定に用いられる前記変更条件は、前記遊技機が前記特定遊技状態に制御されていない通常の遊技状態において成立する条件であることを特徴とする、請求項１記載の遊技機。
【手続補正２】
【補正対象書類名】明細書
【補正対象項目名】０００８
【補正方法】変更
【補正の内容】
【０００８】
【課題を解決するための手段】
請求項１に記載の本発明は、複数種類の識別情報を可変表示可能な画像表示装置を有し、前記識別情報の可変表示の表示結果が予め定められた特定の表示態様になった場合に、遊技者に有利な特定遊技状態に制御可能な遊技機であって、
前記画像表示装置に表示するためのキャラクタ画像のデータを複数種類記憶する画像データ記憶手段と、
前記識別情報の可変表示を開始させた後表示結果を導出表示する制御と、前記識別情報の可変表示を開始させた後表示結果を導出表示する前に、前記画像データ記憶手段に記憶されたデータを選択的に用いて、前記画像表示装置に前記キャラクタ画像を表示させる制御と、前記識別情報の可変表示の表示結果の導出表示にかかわる動作を前記キャラクタ画像にさせる制御とを行なう画像表示制御手段と、
前記画像表示装置に表示する前記キャラクタ画像の種類を変更させるための予め定められた変更条件が成立したか否かを判定する変更条件判定手段と、
前記キャラクタ画像について予め定められた複数のキャラクタ動作のうちから前記画像表示装置に表示させるキャラクタ動作を選択するために用いられるキャラクタ動作選択用カウンタと、
前記キャラクタ画像について予め定められた複数のキャラクタ動作のうちから前記画像表示装置に表示させるキャラクタ動作を、前記キャラクタ画像の種類に関わり無く、前記キャラクタ動作選択用カウンタの抽出値に基づいて選択するキャラクタ動作選択手段とを含み、
前記画像表示制御手段は、前記変更条件判定手段により前記変更条件が成立したと判定された場合に、前記画像表示装置に表示する前記キャラクタ画像を変更するとともに、前記キャラクタ動作選択手段により選択されたキャラクタ動作を、前記画像表示装置に表示させる表示制御を行なうことを特徴とする。
【手続補正３】
【補正対象書類名】明細書
【補正対象項目名】０００９
【補正方法】変更
【補正の内容】
【０００９】
請求項２に記載の本発明は、請求項１に記載の発明の構成に加えて、前記画像表示制御手段は、前記遊技機が前記特定遊技状態に制御されていない通常の遊技状態において、前記キャラクタ画像を表示する制御を行なうことを特徴とする。
請求項３に記載の本発明は、請求項１に記載の発明の構成に加えて、前記画像データ記憶手段は、前記キャラクタ画像のデータおよび該キャラクタ画像の背景を形成する背景画像のデータを複数種類記憶するものであり、
前記画像表示制御手段は、前記識別情報の可変表示を開始させた後表示結果を導出表示する前に、前記画像データ記憶手段に記憶されたデータを選択的に用いて、前記画像表示装置に前記キャラクタ画像および前記背景画像を表示させる制御を行ない、
前記変更条件は、前記画像表示装置に表示する前記キャラクタ画像および前記背景画像の種類を変更させるための条件であり、
前記画像表示制御手段は、前記変更条件判定手段により前記キャラクタ画像および前記背景画像の種類を変更させるための条件である前記変更条件が成立したと判定された場合に、前記画像表示装置に表示する前記キャラクタ画像および前記背景画像を変更する表示制御を行なうことを特徴とする。
請求項４に記載の本発明は、請求項３に記載の発明の構成に加えて、前記画像表示制御手段は、前記遊技機が前記特定遊技状態に制御されていない通常の遊技状態において、前記キャラクタ画像および前記背景画像を表示する制御を行なうことを特徴とする。
【手続補正４】
【補正対象書類名】明細書
【補正対象項目名】００１１
【補正方法】変更
【補正の内容】
【００１１】
請求項５に記載の本発明は、請求項１に記載の発明の構成に加えて、前記変更条件判定手段での判定に用いられる前記変更条件は、前記遊技機が前記特定遊技状態に制御されていない通常の遊技状態において成立する条件であることを特徴とする。
【手続補正５】
【補正対象書類名】明細書
【補正対象項目名】００１２
【補正方法】変更
【補正の内容】
【００１２】
【作用】
請求項１に記載の本発明によれば、画像データ記憶手段に、画像表示装置に表示するためのキャラクタ画像のデータが複数種類記憶される。画像表示制御手段の働きにより、識別情報の可変表示を開始させた後表示結果を導出表示する制御と、識別情報の可変表示を開始させた後表示結果を導出表示する前に、画像データ記憶手段に記憶されたデータを選択的に用いて、画像表示装置にキャラクタ画像を表示させる制御と、識別情報の可変表示の表示結果の導出表示にかかわる動作をキャラクタ画像にさせる制御とが行なわれる。このように、キャラクタ画像が動作され、その動作が表示結果の導出表示にかかわるため、面白みがある表示が行なわれる。変更条件判定手段の働きにより、画像表示装置に表示するキャラクタ画像の種類を変更させるための予め定められた変更条件が成立したか否かが判定される。キャラクタ動作選択用カウンタを用いて、キャラクタ画像について予め定められた複数のキャラクタ動作のうちから画像表示装置に表示させるキャラクタ動作が選択される。キャラクタ動作選択手段の働きにより、キャラクタ画像について予め定められた複数のキャラクタ動作のうちから画像表示装置に表示させるキャラクタ動作が、キャラクタ画像の種類に関わり無く、キャラクタ動作選択用カウンタの抽出値に基づいて選択される。画像表示制御手段のさらなる働きにより、変更条件判定手段により変更条件が成立したと判定された場合に、画像表示装置に表示するキャラクタ画像を変更するとともに、キャラクタ動作選択手段により選択されたキャラクタ動作を、画像表示装置に表示させる表示制御が行なわれる。このように、遊技において画像の変更条件が成立した場合に、表示されているキャラクタ画像が変更されるため、画像表示装置において変化に富んだ表示がなされる。
【手続補正６】
【補正対象書類名】明細書
【補正対象項目名】００１３
【補正方法】変更
【補正の内容】
【００１３】
請求項２に記載の本発明は、請求項１に記載の発明の作用に加えて、次のように作用する。画像表示制御手段のさらなる働きにより、遊技機が特定遊技状態に制御されていない通常の遊技状態において、キャラクタ画像を表示する制御が行なわれる。このため、キャラクタ画像の表示が、遊技者が遊技に飽きやすい通常の遊技状態に表示されることになる。
請求項３に記載の本発明は、請求項１に記載の発明の作用に加えて、次のように作用する。画像データ記憶手段のさらなる働きにより、キャラクタ画像のデータおよび該キャラクタ画像の背景を形成する背景画像のデータが複数種類記憶される。画像表示制御手段のさらなる働きにより、識別情報の可変表示を開始させた後表示結果を導出表示する前に、画像データ記憶手段に記憶されたデータを選択的に用いて、画像表示装置にキャラクタ画像および背景画像を表示させる制御が行なわれる。変更条件は、画像表示装置に表示するキャラクタ画像および背景画像の種類を変更させるための条件である。画像表示制御手段のさらなる働きにより、変更条件判定手段によりキャラクタ画像および背景画像の種類を変更させるための条件である変更条件が成立したと判定された場合に、画像表示装置に表示するキャラクタ画像および背景画像を変更する表示制御が行なわれる。
請求項４に記載の本発明は、請求項３に記載の発明の作用に加えて、次のように作用する。画像表示制御手段のさらなる働きにより、遊技機が特定遊技状態に制御されていない通常の遊技状態において、キャラクタ画像および背景画像を表示する制御が行なわれる。
【手続補正７】
【補正対象書類名】明細書
【補正対象項目名】００１５
【補正方法】変更
【補正の内容】
【００１５】
請求項５に記載の本発明によれば、請求項１に記載の発明の作用に加えて、次のように作用する。変更条件判定手段での判定に用いられる変更条件が、遊技機が特定遊技状態に制御されていない通常の遊技状態において成立する条件に設定される。これにより、キャラクタ画像の変更表示は、通常の遊技状態において実行される。
【手続補正８】
【補正対象書類名】明細書
【補正対象項目名】０１５１
【補正方法】変更
【補正の内容】
【０１５１】
【課題を解決するための手段の具体例の効果】
請求項１に関しては、遊技中に変更条件が成立した場合に、画像表示装置に表示されるキャラクタ画像が変更される。このため、キャラクタ画像を変化に富んだものにすることができるので、このような画像の表示により、長時間にわたって遊技を行なっている遊技者を飽きさせないようにすることができる。その結果として、遊技者の興趣を向上させることができる。そして、キャラクタ画像が、遊技者が特に興味を持つ表示である画像表示装置の可変表示の表示結果の導出表示にかかわる動作をするため、遊技者の興趣をより一層向上させることができる。
【手続補正９】
【補正対象書類名】明細書
【補正対象項目名】０１５２
【補正方法】変更
【補正の内容】
【０１５２】
請求項２に関しては、請求項１に関する効果に加えて次のような効果を得ることができる。すなわち、遊技機が特定遊技状態に制御されていない通常の遊技状態において、キャラクタ画像が表示され、その表示画像が変更されるため、遊技者が特に遊技に飽きやすい通常の遊技状態において、遊技者を飽きさせないようにすることができる。
請求項３に関しては、請求項１に関する効果に加えて次のような効果を得ることができる。すなわち、画像データ記憶手段のさらなる働きにより、キャラクタ画像のデータおよび該キャラクタ画像の背景を形成する背景画像のデータが複数種類記憶される。画像表示制御手段のさらなる働きにより、識別情報の可変表示を開始させた後表示結果を導出表示する前に、画像データ記憶手段に記憶されたデータを選択的に用いて、画像表示装置にキャラクタ画像および背景画像を表示させる制御が行なわれる。変更条件は、画像表示装置に表示するキャラクタ画像および背景画像の種類を変更させるための条件である。画像表示制御手段のさらなる働きにより、変更条件判定手段によりキャラクタ画像および背景画像の種類を変更させるための条件である変更条件が成立したと判定された場合に、画像表示装置に表示するキャラクタ画像および背景画像を変更する表示制御が行なわれる。
請求項４に関しては、請求項３に関する効果に加えて次のような効果を得ることができる。すなわち、遊技機が特定遊技状態に制御されていない通常の遊技状態において、キャラクタ画像および背景画像が表示され、その表示画像が変更されるため、遊技者が特に遊技に飽きやすい通常の遊技状態において、遊技者を飽きさせないようにすることができる。
【手続補正１０】
【補正対象書類名】明細書
【補正対象項目名】０１５４
【補正方法】変更
【補正の内容】
【０１５４】
請求項５に関しては、請求項１に関する効果に加えて、つぎのような効果を得ることができる。キャラクタ画像の変更の条件が、通常の遊技状態中に成立するので、画像の変更は、通常の遊技状態に行なわれる。このため、このような画像が特定遊技状態中における画像表示を邪魔しないようにすることができる。